(57)【要約】【課題】  屋根に積もる雪、軒先や道路に積もった雪、雪国で生活する人々にとって、冬に積もる雪の処理は、危険と労力を伴う、雪国に暮らす人々にとって、頭を悩ます、一番の課題であります。【解決手段】  屋根の雪、軒先に積もり溜まった雪、すべて、雪の成分は水であるので、元の水に戻せば、低いほうへ流れていってしまいます。重い雪を処理するための、寒中での重労働が無くなります。その上、道路の除雪量も減り、除雪費用も少なくすることが出来ます。雪を水に変える手段として、暖房された部屋で暖まりながら、大雪の時には、配管につけてある、バルブを開閉操作することにより。ストーブの上に置いた釜で沸騰させた湯の蒸気利用する屋根の融雪装置を、雪を融かして処理出来るようにつくる。【選択図】図１
2012180732.tif 000002
【特許請求の範囲】
【請求項１】
屋根棟の左右両端に設置することが出来るように作った、蒸気の噴出し口を左右一対にして設置する。ストーブの上に置いた釜で沸騰させた湯の蒸気を利用する、屋根の融雪装置。
【請求項２】
ストーブの上に置く釜を大きめに作る、請求工１の屋根の融雪装置。
【請求項３】
湯を沸かすための釜は高い圧力にも耐えられるよう頑丈に作り、底の設置面をストーブの上部の平らなところよりも大きく作る、請求工１の屋根の融雪装置。
【請求項４】
湯を沸かすための釜には圧力計を取り付ける、請求項１の屋根の融雪装置。
【請求項５】
湯を沸かすための釜には、蒸気を抜いて、屋根で噴出させる管を接続して配管する。
【請求項６】
蒸気を屋根の上で墳出させる管は、横引きと立ち上がりを鉄管にて天井のところまで配管する、請求項１の屋根の融雪装置。
【請求項７】
蒸気を抜いて、屋根で噴出させるための逃がし官には、横引き管には安全弁を、立ち上がりにはボールバルブをつける、請求項１の屋根の融雪装置。
【請求項８】
，天井まで配管されている鉄管に、防寒を施した給湯用のポリ管を接続して、棟の左右両端に設置する蒸気噴出し口まで配管を伸ばして、蒸気噴出し口の管に接続する。請求項１の屋根の融雪装置。
【発明の詳細な説明】
【発明の詳細な説明】
【技術分野】
【０００１】本発明は、屋根に降り積もった雪を、ストーブの上に置いた釜で、沸騰させた湯の蒸気を利用する。屋根の融雪装置に関する。
【背景技術】
【０００２】  従来の屋根の雪を取り除く方法は、屋根に上がって、スコップを使って雪を下ろす場合が多く、また、最近では、電熱を利用して融雪する方法がある。
【発明が解決しようとする課題】
【０００３】  従来の屋根の雪を取り除くには、屋根に上がって、スコップを使って雪を下ろすか、最近では、電熱を使って雪を融かものがありますが。雪の積もった屋根に上がって、雪下ろしをする作業は、雪の積もった屋根の上の寒さと、落下して事故になる危険性があります。そして、死亡事故も多く発生しています。また、電熱を利用した融雪装置は、装置そのものも高額になる上に、電気料金等のランニングコストも掛かります。さらに、大量に積もった雪の処理も、大変な労苦を必要とします。生活に不便を強いる、降り積もった厄介者の雪を融かして流すこと。
【０００４】  従って、本発明は、このような問題点に着目してなされたものであって、屋根の雪下ろしを安全かつ快適に、楽しんで、行えるような手段を提供することを目的としている。
【課題を解決するための手段】
【０００５】  上記目的を達成するために、本発明のストーブの上に置いた釜で沸騰させた湯の蒸気を利用する屋根の融雪装置は、ストーブの上に蒸気を発生させるための釜を乗せて、釜で沸騰した湯の蒸気を屋根の上で噴出させて、雪を屋根の上の雪を融かして、流すことが出来るようにつくる。
【０００６】  そして、湯を沸かすための釜は、高い圧力にも耐えられるように頑丈な構造につくり、蒸気が噴出する圧力を、強くすることが出来るようにつくる。
【０００７】  また、頑丈に作られた釜には、釜に加わる圧力を測って、噴出しの強さを調整することと、安全に操作を出来るようにするために、圧力計を取り付ける。
【０００８】  さらに、装置を安全に使用できるようにする必要があるので、圧力の高くなりすぎるのを防ぐ為に、釜から伸ばした、鉄管の途中に安全弁をつける。
【０００９】  また、釜で沸湯した湯の蒸気を屋根で噴出させるために、管の途中に安全弁をつけた管を、屋根まで伸ばして、蒸気噴出し口まで配管する。
【００１０】  そして、釜から天井までの配管は、鉄管を使用しボールバルブを取り付け、通常はバルブを開けておいて利用し、バルブの開閉で釜の圧力を、上げたり下げたり出来るようにつくる。
【００１１】  また、天井まで伸ばした鉄管の先には二又に分岐する鉄管の部材を取り付けて、左右２方向に蒸気が抜けるようにつくる。
【００１２】  さらに、二又に分岐させた鉄管の先には、防寒を施した給湯用のポリ管を左右それぞれに接続して、屋根の左右につける蒸気の噴出し口のところまで配管する。
【００１３】  そして、釜から蒸気の噴出し口までの配管は、水溜りが出来て、氷で管を塞ぐことがないように、噴出し口から釜まで勾配をとっておく。
【００１４】  また、屋根棟の左右両端に取り付ける、蒸気の吹き出し口の取り付ける台を、屋根棟の上に設置できるようにつくる。
【００１５】  そして、屋根棟の上に、左右一対にして、蒸気の噴出し口を設置する。
【００１６】  また、棟の上に取り付けた、左右一対の噴出し口は、それぞれ数個ずつ穴を開ける。そして、噴出し穴を１ミリ以下で開けてつくり、、蒸気が遠くまで放出するようにつくる。
【００１７】  さらに、蒸気の噴出し口は、万が一にも、飛沫が通行人にかからないよう、蒸気の噴出し角度を屋根面に噴射するようにつくる。
【００１８】  そして、雪下ろしをしなければならないと、思われるほど雪が積もってきたら、ボールバルブを閉めて、釜の圧力を高くしてから、バルブをゆっくり開いて行って、屋根に取り付けた蒸気の噴出し口より噴射させる。
【発明実施の形態】
【００１９】  発明実施の形態を実施例にもとづき図面を参照して説明する。
図１において、ストーブの沸かした湯の蒸気を利用した、屋根の融雪装置全体の立面図である。
【００１８】    ストーブの上に圧力計を取り付けた釜を置いて、釜に水を入れて火をつける。
【００１９】    そして、鉄管に接続されているボールバルブは、通常は開けておく。雪が多く積もってきたら、釜に圧力を加えるために閉め、圧力が上がったら、バルブをゆっくり開けて、屋根棟の上の設置された噴出し口より、蒸気を噴出す。
【発明の効果】
【００２０】  本発明は、以上説明したように構成されているので、以下に記載されるような効果をそうする。
【００２１】  釜で沸騰した蒸気を、通常は圧力を、特別高くしないで、ボールバルブを開いて放出しておき、吹き出し口から出る、蒸気の影響範囲の雪を融かして流し、屋根を流れる水で、雪の屋根に接する部分の面積が小さくなるため、積もった雪が屋根から落ちる。そして、大雪で積もり方が激しいときは、ボールバルブを閉めて釜の内部の圧力を上げて、ある程度上がったところで、バルブを最初は少しずつ開けて行き、最後には全開にして、屋根の上で、蒸気を強く噴出し、雪を融かし流す。簡単な操作なので、従来の、雪下ろしのように、寒い思いも、事故につながるような、危ない思いもしないですむ。
【００２２】  そして、本発明の融雪装置は、一度取り付けてしまえば、室内の操作で融かし流せるので、蒸気で雪が解けるのを、楽しみながら大量の雪を処理することが出来る。
【００２３】  また、雪下ろしの場合、下に落とした雪の処理に困るが、蒸気で融かして流すので、水になるため、落とした雪の処理に悩むことが無い。一石二鳥の装置である。
【００２４】  さらに、軒先に屋根の雪を落とさないので、軒先で雪をかたす事少なくなるので、軒先を利用でるようなる。
【００２５】  また、吹き出し口を軒先に、新たに設置すれば軒先の雪の除去作業が無くなり。部屋を暖めることを、主とした用途で使用していたストーブの利用法が、蒸気の熱を利用することにより、同じ燃料代で大変だった、雪の除去作業を楽しみながら出来る。また、軒先など雪も融かして水にして流すので、市街地の道路の除雪量を減らすことが出来た、その上、除雪の為に費やす、役所の費用も減らすことが出来る。この装置非常に多くのメリットを生みます。
【図面の簡単な説明】
【図１】  本考案に適用した。ストーブで沸かした湯の蒸気を利用する屋根の融雪装置、全体組み立て立面図である。
【符号の説明】１  釜
２  圧力計
３  安全弁
４  鉄管
５  ボールバルブ
６  給湯用ポリ管
７  蒸気の噴出し口
【図１】
2012180732.tif 000003